(57)【要約】【課題】見た目の印象を悪化させることなく従来よりも深く襟元を開けることが可能なシャツを提供する。【解決手段】上前立６と下前立７とを上下方向に等間隔で配置したボタン（図中には第一ボタン１、第二ボタン２、第三ボタン３のみに符号を付している）により閉じ合わせるようにしたシャツに関し、第二ボタン２と第三ボタン３との間に、上前立６と下前立７とを係止する係止手段としてスナップボタンの雄型９と雌型１０を縫着する。第一ボタン１と第二ボタン２を外しても、第二ボタン２と第三ボタン３との間のスナップボタンの雄型９と雌型１０を留めておけば、襟元が第二ボタン２と第三ボタン３の中間位置までしか開かない。【選択図】図１
0003154619.tif 000002
【実用新案登録請求の範囲】
【請求項１】
上前立と下前立とを上下方向に等間隔で配置したボタンにより閉じ合わせるようにしたシャツにおいて、第二ボタンと第三ボタンとの間に、上前立と下前立とを係止する係止手段を備えたことを特徴とするシャツ。
【請求項２】
係止手段をスナップボタンの雄型と雌型で構成したことを特徴とする請求項１に記載のシャツ。
【請求項３】
係止手段をボタンとボタン穴で構成したことを特徴とする請求項１に記載のシャツ。
【考案の詳細な説明】
【技術分野】
【０００１】
本考案は、襟元を適度に開いた状態に保持して見栄えの良い着こなしを実現するシャツに関するものである。
【背景技術】
【０００２】
地球温暖化防止の取り組みのひとつとしてクールビズ（COOL BIZ）が２００５年にスタートし、夏季にネクタイと上着を着ないでシャツだけで仕事を行うことが定着してきており、このように軽装で仕事を行うことで夏の間のオフィスの冷房温度の設定を２８℃程度として空調設備のエネルギー使用量を減らし、結果的に二酸化炭素の排出を抑えることが提唱されている。
【０００３】
上着なしノーネクタイの軽装で仕事するにあたり、オフィスの冷房温度が２８℃でも快適に過ごせるように、シャツの第一ボタンを外して襟元を開けた状態でシャツを着こなすのが一般的になっているが、図４に示す如く、第一ボタン１だけを外して第二ボタン２で留めると、見た目がおとなしい印象となってしまうので、より御洒落な着こなしを好む人からは、襟元をもう少し深く開けた状態で着こなしたいという要望がある。
【０００４】
尚、図中における符号の３は第三ボタン、４は襟、５は衿台、６は上前立、７は下前立を夫々示しており、ここに図示している例では、既存のシャツがそうであるように、上前立６と下前立７とを上下方向に等間隔で配置したボタン（図中には第一ボタン１、第二ボタン２、第三ボタン３のみに符号を付している）により閉じ合わせるようにしてある。
【考案の概要】
【考案が解決しようとする課題】
【０００５】
しかしながら、図５に示す如く、第一ボタン１だけでなく第二ボタン２まで開けてしまうと、その下の第三ボタン３まで襟元が大きく開いてしまうことになるため、シャツの下の肌着８が見えてしまったり、襟元がはだけ過ぎてだらしなく見えたりして、却って見た目の印象を悪くする虞れがあった。
【０００６】
本考案は上述の実情に鑑みてなしたもので、見た目の印象を悪化させることなく従来よりも深く襟元を開けることが可能なシャツを提供することを目的とする。
【課題を解決するための手段】
【０００７】
本考案は、上前立と下前立とを上下方向に等間隔で配置したボタンにより閉じ合わせるようにしたシャツにおいて、第二ボタンと第三ボタンとの間に、上前立と下前立とを係止する係止手段を備えたことを特徴とするものである。
【０００８】
而して、このようにすれば、第一ボタンと第二ボタンを外しても、第二ボタンと第三ボタンとの間の係止手段を係止させておけば、襟元が第二ボタンと第三ボタンの中間位置までしか開かないので、従来の第一ボタンだけを外した場合よりも深く襟元を開きながらも、肌着が見えてしまったり、襟元がはだけ過ぎてだらしなく見えたりすることが防止される。
【０００９】
更に、本考案においては、係止手段をスナップボタンの雄型と雌型で構成したり、ボタンとボタン穴で構成したりすることが可能であり、特にスナップボタンの雄型と雌型を用いた場合には、このスナップボタンの雄型と雌型を留めた際に、表側からスナップボタンの存在が判らないようにして自然な外観を保つことが可能となる。
【考案の効果】
【００１０】
上記した本考案のシャツによれば、第一ボタンと第二ボタンを外しても、襟元は第三ボタンまで大きく開くことはなく、係止手段により第二ボタンと第三ボタンとの中間位置までしか開かなくなり、見た目の印象を悪化させることなく従来よりも深く襟元を開けることができるので、第一ボタンだけを外して第二ボタンで留めた場合の如きおとなしい印象を払拭することができ、より活動的な印象に見た目を変えて御洒落な着こなしを楽しむことができるという優れた効果を奏し得る。
【図面の簡単な説明】
【００１１】
【図１】本考案の第一形態例を示す正面図である。
【図２】図１のシャツの使用形態を説明する斜視図である。
【図３】本考案の第二形態例を示す正面図である。
【図４】従来におけるシャツの使用形態を説明する斜視図である。
【図５】図４のシャツを第二ボタンまで外して着用した状態を示す斜視図である。
【考案を実施するための形態】
【００１２】
以下本考案の実施の形態を図面を参照しつつ説明する。
【００１３】
図１及び図２は本考案の第一形態例を示すもので、図４及び図５と同一の符号を付した部分は同一物を表わしている。
【００１４】
図１に示す如く、本形態例のシャツにおいては、従来と同様に、上前立６と下前立７とを上下方向に等間隔で配置したボタン（図中には第一ボタン１、第二ボタン２、第三ボタン３のみに符号を付している）により閉じ合わせるようになっているが、その第二ボタン２と第三ボタン３との間に、上前立６と下前立７とを係止する係止手段としてスナップボタンの雄型９と雌型１０とを縫着している。
【００１５】
即ち、ここに図示している例では、上前立６の裏面にスナップボタンの雄型９を縫着すると共に、下前立７の表面にスナップボタンの雌型１０を縫着しており、これらスナップボタンの雄型９と雌型１０を留めた際に、表側からスナップボタンの存在が判らないようにしてある。
【００１６】
而して、図２に示す如く、第一ボタン１と第二ボタン２を外しても、第二ボタン２と第三ボタン３との間のスナップボタンの雄型９と雌型１０を留めておけば、襟元が第二ボタン２と第三ボタン３の中間位置までしか開かないので、従来の第一ボタン１だけを外した場合よりも深く襟元を開きながらも、肌着が見えてしまったり、襟元がはだけ過ぎてだらしなく見えたりすることが防止される。
【００１７】
従って、斯かる第一形態例によれば、第一ボタン１と第二ボタン２を外しても、襟元は第三ボタン３まで大きく開くことはなく、スナップボタンの雄型９と雌型１０により第二ボタン２と第三ボタン３との中間位置までしか開かなくなり、見た目の印象を悪化させることなく従来よりも深く襟元を開けることができるので、第一ボタン１だけを外して第二ボタン２で留めた場合の如きおとなしい印象を払拭することができ、より活動的な印象に見た目を変えて御洒落な着こなしを楽しむことができる。
【００１８】
また、特にこの第一形態例の場合は、スナップボタンの雄型９と雌型１０を留めた際に、表側からスナップボタンの存在が判らないようにして自然な外観を保つことができるという利点もある。
【００１９】
更に、図３は本考案の第二形態例を示すもので、ここに図示している例では、第二ボタン２と第三ボタン３との間で上前立６と下前立７とを係止する係止手段を、ボタン１１とボタン穴１２とで構成するようにしているが、このようにした場合であっても、第一ボタン１と第二ボタン２を外した時に、前記ボタン１１とボタン穴１２とを留めて、襟元が第三ボタン３まで大きく開かないようにすることができるので、前述の第一形態例の場合と同様に、見た目の印象を悪化させることなく従来よりも深く襟元を開けることができる。
【００２０】
ここで、前記ボタン穴１２は、上前立６の表側まで貫通するように形成しても良いが、例えば、上前立６の裏側の生地にだけボタン穴１２を開けておき、ボタン１１が上前立６の表側の生地と裏側の生地との間で留まるようにしても良く、このようにすれば、ボタン１１とボタン穴１２を留めた際に、表側からボタン１１の存在が判らないようにして自然な外観を保つことが可能である。
【００２１】
尚、本考案のシャツは、上述の形態例にのみ限定されるものではなく、係止手段は図示例以外のものであっても良く、例えば、係止手段を面ファスナーのフック側とループ側との組み合わせで構成したり、ホックと留め金の組み合わせて構成したりしても良いこと、その他、本考案の要旨を逸脱しない範囲内において種々変更を加え得ることは勿論である。
【符号の説明】
【００２２】
１  第一ボタン
２  第二ボタン
３  第三ボタン
４  襟
５  衿台
６  上前立
７  下前立
８  肌着
９  スナップボタンの雄型（係止手段）
１０  スナップボタンの雌型（係止手段）
１１  ボタン（係止手段）
１２  ボタン穴（係止手段）
【図１】
0003154619.tif 000003
【図２】
0003154619.tif 000004
【図３】
0003154619.tif 000005
【図４】
0003154619.tif 000006
【図５】
0003154619.tif 000007